(57)【要約】【課題】従来の用紙折り畳み装置の用紙冷却では、印刷速度Ｖ（ｉｐｓ）によらず、用紙冷却ダクトの用紙送風高さ範囲ｈ（ｍｍ）及び送風機の風量Ｑ（ｍ３／ｍｉｎ）に規則性がなかったため、用紙送風高さ範囲ｈ（ｍｍ）が広く、送風風量Ｑ（ｍ３／ｍｉｎ）が大きい場合に、印刷速度Ｖ（ｉｐｓ）が小さい場合において、用紙の浮き上がり過ぎによるジャムが発生する。また、用紙送風高さ範囲ｈ（ｍｍ）が狭く、送風風量Ｑ（ｍ３／ｍｉｎ）が小さい場合に、印刷速度Ｖ（ｉｐｓ）が大きい場合において、冷却不足となり、重なり合う印刷面のトナーが溶着する。【解決手段】送風高さ範囲ｈ（ｍｍ）と印刷速度Ｖ（ｉｐｓ＝ｉｎｃｈ／ｓｅｃ）は、ｈ＝（０．５×Ｖ＋１０）±５を満たす範囲とし、また、用紙冷却用送風機６、７、８の風量の総和Ｑ（ｍ３／ｍｉｎ）と印刷速度Ｖ（ｉｐｓ）は、Ｑ＝（０．０６×Ｖ）±１を満たす範囲とする。【選択図】          図１
2004175457.tif 000002
【特許請求の範囲】
【請求項１】
トナーが熱定着された折りミシン目のついた連続印刷用紙を表裏交互に折り畳み、前記折り畳まれた用紙が堆積されるテーブル及び前記テーブルに堆積された用紙の上面を検出するセンサを有し、前記センサの検出により、前記テーブルが一定量降下される折畳み装置を備えた電子写真式印刷装置であって、前記用紙を冷却する数個の送風機及びダクトを有し、前記送風機による用紙送風高さ範囲ｈ（ｍｍ）と印刷速度Ｖ（ｉｐｓ）が、ｈ＝（０．５×Ｖ＋１０）±５を満足することを特徴とする折り畳み装置を備えた電子写真式印刷装置。
【請求項２】
前記数個の送風機の風量総和Ｑ（ｍ３／ｍｉｎ）と印刷速度Ｖ（ｉｐｓ）が、Ｑ＝（０．０６×Ｖ）±１を満足することを特徴とする請求項１記載の折り畳み装置を備えた電子写真式印刷装置。
【請求項３】
前記ダクトからの送風風速は、前記ダクト出口において、１８ｍ／ｓ以上とすることを特徴とする請求項１記載の折り畳み装置を備えた電子写真式印刷装置。
【発明の詳細な説明】
【０００１】
【発明の属する技術分野】
本発明は、電子写真方式を利用した印刷装置であって、用紙上のトナーを用紙に定着するために熱を利用した定着装置を具備した装置の用紙折り畳み部における用紙冷却に関するものである。
【０００２】
【従来の技術】
電子写真印刷装置は、光導電性を有する感光体表面に印刷データを露光し、前記感光体表面に電位差を生じさせ、粉体インクであるトナーを現像し、前記感光体表面から印刷用紙に転写させ、定着装置で加熱することで前記トナーを融解し、印刷用紙に定着させ、用紙折り畳み装置で前記印刷用紙の折り畳みを行っている。
【０００３】
前記用紙折り畳み装置は、前記定着装置により加熱された用紙に残留した熱を冷やす為の数個の用紙送風機及びダクトを有するのが一般的である。
【０００４】
前記用紙送風機及びダクトによる用紙送風高さ範囲ｈ（ｍｍ）及び風量Ｑ（ｍ３／ｍｉｎ）は、印刷速度Ｖ（ｉｐｓ）による規則性がなかった。
【０００５】
【発明が解決しようとする課題】
従来の用紙折り畳み装置の用紙冷却では、印刷速度Ｖ（ｉｐｓ）によらず、用紙冷却ダクトの用紙送風高さ範囲ｈ（ｍｍ）及び送風機の風量Ｑ（ｍ３／ｍｉｎ）に規則性がなかったため、次の問題があった。
・  用紙送風高さ範囲ｈ（ｍｍ）が広く、送風風量Ｑ（ｍ３／ｍｉｎ）が大きい場合は、印刷速度Ｖ（ｉｐｓ）が小さい場合において、用紙の浮き上がり過ぎによるジャムが発生する。
・  用紙送風高さ範囲ｈ（ｍｍ）が狭く、送風風量Ｑ（ｍ３／ｍｉｎ）が小さい場合は、印刷速度Ｖ（ｉｐｓ）が大きい場合において、冷却不足となり、重なり合う印刷面のトナーが溶着する。
【０００６】
本発明の目的は、印刷速度Ｖ（ｉｐｓ）による冷却風の用紙送風高さ範囲ｈ（ｍｍ）及び送風風量Ｑ（ｍ３／ｍｉｎ）の規則性により、各印刷速度Ｖ（ｉｐｓ）においてジャムの発生が無く、冷却不足による重なり合う印刷面のトナーが溶着することを防止することが可能な用紙折り畳み装置を備えた電子写真式印刷装置を提供するものである。
【０００７】
【課題を解決するための手段】
上記の課題を解決する為、本発明では、トナーが熱定着された折りミシン目のついた連続印刷用紙を表裏交互に折り畳み、前記折り畳まれた用紙が堆積されるテーブル及び前記テーブルに堆積された用紙の上面を検出するセンサを有し、前記センサの検出により、前記テーブルが一定量降下される折畳み装置を備えた電子写真式印刷装置であって、前記用紙を冷却する数個の送風機及びダクトを有し、前記送風機による用紙送風高さ範囲ｈ（ｍｍ）と印刷速度Ｖ（ｉｐｓ）が、ｈ＝（０．５×Ｖ＋１０）±５を満足することを特徴とする。
【０００８】
また、前記数個の送風機の風量総和Ｑ（ｍ３／ｍｉｎ）と印刷速度Ｖ（ｉｐｓ）が、Ｑ＝（０．０６×Ｖ）±１を満足することを特徴とする。
【０００９】
さらに、前記ダクトからの送風風速は、前記ダクト出口において、１８ｍ／ｓ以上とすることを特徴とする。
【００１０】
【発明の実施の形態】
本発明の実施例を図１を用いて説明する。
【００１１】
印刷された用紙１は、揺動するスイングフィン２によって用紙のミシン目に沿って折り畳まれ、Ｔベルト３により折畳まれたミシン目をテーブル４側に押さえつけている。テーブル４上に一定量の用紙１が堆積されると、用紙上面が光学式のセンサ５によって検出され、テーブル４が一定量下がるようになっている。
【００１２】
用紙１は、図示しない定着装置により加熱され、８０℃以上の高温のままテーブル４上に搬送されてきており、この用紙１の温度を７０℃以下まで冷却しないと、重なり合う印刷面のトナーが溶着するという問題が発生するために、用紙冷却用送風機及びダクトを配置する必要がある。
【００１３】
用紙冷却用送風機６、７、８及びダクト９、１０、１１は、折りたたまれた状態での用紙長方向に並べられており、送風高さ範囲ｈ（ｍｍ）と印刷速度Ｖ（ｉｐｓ＝ｉｎｃｈ／ｓｅｃ）は、ｈ＝（０．５×Ｖ＋１０）±５を満たす範囲とし、印刷速度Ｖ（ｉｐｓ）が速くなるにつれ、吹き付け高さ範囲ｈ（ｍｍ）は広くなる。
【００１４】
また、用紙冷却用送風機６、７、８の風量の総和Ｑ（ｍ３／ｍｉｎ）と印刷速度Ｖ（ｉｐｓ）は、Ｑ＝（０．０６×Ｖ）±１を満たす範囲とする。印刷速度Ｖ（ｉｐｓ）が速くなるにつれ、風量が大きくなる。
【００１５】
これらにより、印刷速度Ｖ（ｉｐｓ）が速い場合には、広範囲に大きな風量Ｑ（ｍ３／ｍｉｎ）の冷却風が吹き付けられるが、用紙折り畳み部に搬送される印刷用紙の速度が速いため、順次搬送されてくる用紙１により、折り畳まれた用紙の過剰な浮き上がりが押え込まれ、ジャムの発生がない。さらに、用紙に十分な冷却風をあてることが可能となり、重なり合う印刷面のトナーの溶着を防止できる。
【００１６】
一方、印刷速度Ｖ（ｉｐｓ）が遅い場合には、狭い範囲に小さい風量Ｑ（ｍ３／ｍｉｎ）の冷却風となるが、搬送される印刷用紙の速度が遅いために十分な用紙の冷却が可能となり、重なり合う印刷面のトナーの溶着が防止可能である。また、過剰な送風によるジャムも防ぐことができる。
【００１７】
さらに、ダクト９、１０、１１からの送風風速は、ダクト出口にて１８ｍ／ｓ以上としてあり、冷却風が用紙幅方向に貫通できるようにしてある。
【００１８】
本実施例では、３個の送風機及びダクトを用いているが、送風機及びダクトの数量を変えてもよい。
【００１９】
【発明の効果】
本発明によれば、印刷速度Ｖ（ｉｐｓ）による冷却風の送風高さ位置ｈ（ｍｍ）及び送風風量Ｑ（ｍ３／ｍｉｎ）による規則性により、各印刷速度Ｖ（ｉｐｓ）においてジャムの発生がなく、冷却不足による重なり合う印刷面のトナーが溶着することを防止することが可能となる。
【図面の簡単な説明】
【図１】本発明の一例を示した右側面図である。
【図２】本発明の一例を示した正面図である。
【符号の説明】
１は用紙、２はスイングフィン、３はＴベルト、４はテーブル、５は光学式センサ、６は送風機、７は送風機、８は送風機、９はダクト、１０はダクト、１１はダクトである。
【図１】
2004175457.tif 000003
【図２】
2004175457.tif 000004